(57)【要約】【課題】簡単でかつ潰れにくい構造であって、複数の室に区切れると共に、薬剤をセットしやすく、使用開始時の使い勝手を向上させた薬剤収納容器を提供することである。【解決手段】正面板、背面板、左右側板を備えた両端が開口した筒状の胴部と、胴部の上下の開口端縁それぞれに連設された蓋板及び底板より構成され、胴部、蓋板及び底板の少なくともいずれか１つに通気部を有し、内部に周囲空間に対して薬効を有する薬剤を収納する薬剤収納容器であって、正面板は背面板より短く形成され、背面板の上縁に蓋板が連設され、蓋板によって上端側の開口が閉塞可能とされ、正面板の上縁に連設して内蓋が形成され、内蓋は正面板の上縁から折り曲げ線を介して背面板の内面と接するように薬剤収納容器の内側に折り込まれ、蓋板と内蓋と胴部とで、薬剤収納容器の内側に内蓋で上下に仕切られた少なくとも２つの収納部を形成する。【選択図】図３
2014133586.tif 000002
【特許請求の範囲】
【請求項１】
正面板、背面板、左右側板を備えた両端が開口した筒状の胴部と、該胴部の上下の開口端縁それぞれに連設された蓋板及び底板より構成され、前記胴部、蓋板及び底板の少なくともいずれか１つに通気部を有し、内部に周囲空間に対して薬効を有する薬剤を収納する薬剤収納容器であって、
前記正面板は前記背面板より短く形成され、前記背面板の上縁に前記蓋板が連設され、該蓋板によって上端側の開口が閉塞可能とされ、
前記正面板の上縁に連設して内蓋が形成され、該内蓋は前記正面板の上縁から折り曲げ線を介して前記背面板の内面と接するように当該薬剤収納容器の内側に折り込まれ、
前記蓋板と前記内蓋と前記胴部とで、当該薬剤収納容器の内側に前記内蓋で上下に仕切られた少なくとも２つの収納部を形成することを特徴とする薬剤収納容器。
【請求項２】
前記背面板の上縁から連設された前記蓋板は湾曲状態で上端側の前記開口を閉塞可能であることを特徴とする請求項１に記載の薬剤収納容器。
【請求項３】
前記内蓋および前記背面板のいずれか一方に係合部を形成するとともに、他方に該係合部を挿入可能な切り込みを設けたことを特徴とする請求項１又は２に記載の薬剤収納容器。
【請求項４】
前記正面板の上縁に少なくとも一つの凸状部を設けたことを特徴とする請求項１乃至３のいずれか１つに記載の薬剤収納容器。
【請求項５】
前記凸状部は前記内蓋に予め設けた切り込みを用いて形成されることを特徴とする請求項４に記載の薬剤収納容器。
【請求項６】
前記胴部の一部に薬剤の残量を確認するための確認窓を設けたことを特徴とする請求項１乃至５のいずれか１つに記載の薬剤収納容器。
【発明の詳細な説明】
【技術分野】
【０００１】
本発明は、周囲空間に対して薬効を有する薬剤を収納するための薬剤収納容器に関する。
【背景技術】
【０００２】
従来、周囲空間に対して薬効を有する薬剤を収納する容器として、同一形状及び同一構造からなる厚紙製の二つの箱体を、その端部にてヒンジを介して回動自在に連結した薬剤容器が知られている(例えば引用文献１参照)。
【０００３】
この薬剤容器では、二つの各箱体内に互いに異なる薬剤を収納することで、周囲空間に対して複数種の薬効を付与することも可能である。
【先行技術文献】
【特許文献】
【０００４】
【特許文献１】特許第３８５３４５４号公報
【発明の概要】
【発明が解決しようとする課題】
【０００５】
しかしながら、特許文献１に記載された薬剤容器では、厚紙製の箱体をヒンジを介して連結した構造であるため、製造しやすいシンプルな構造ではあるが、単純な直方体形状の厚紙製容器は潰れやすく、また、肉薄なヒンジ部分の強度も弱いという欠点があった。
【０００６】
また、特許文献１に記載された薬剤容器では、各箱体はその上面部が蓋片により開閉自在であることから、この上面部から各箱体の内部に薬剤を投入することにより薬剤をセットする。しかし、この薬剤容器は、下駄箱内等の隙間に設置する薄型の容器であるため、間口が小さく薬剤を投入しづらかったり、薬剤が奥まで入りきらないために蓋がきちんと閉まらず蓋が浮き上がったりするなど、薬剤をセットしづらく使用開始時の使い勝手が悪いという欠点もあった。
【０００７】
本発明は以上のような従来の欠点に鑑み、簡単でかつ潰れにくい構造を有し、複数の収納部に仕切ることができ、かつ薬剤をセットしやすく使用開始時の使い勝手を向上させた薬剤収納容器を提供することを目的としている。
【課題を解決するための手段】
【０００８】
本発明の一態様の薬剤収納容器は、正面板、背面板、左右側板を備えた両端が開口した筒状の胴部と、該胴部の上下の開口端縁それぞれに連設された蓋板及び底板より構成され、前記胴部、蓋板及び底板の少なくともいずれか１つに通気部を有し、内部に周囲空間に対して薬効を有する薬剤を収納する薬剤収納容器であって、前記正面板は前記背面板より短く形成され、前記背面板の上縁に前記蓋板が連設され、該蓋板によって上端側の開口が閉塞可能とされ、前記正面板の上縁に連設して内蓋が形成され、該内蓋は前記正面板の上縁から折り曲げ線を介して前記背面板の内面と接するように当該薬剤収納容器の内側に折り込まれ、前記蓋板と前記内蓋と前記胴部とで、当該薬剤収納容器の内側に前記内蓋で上下に仕切られた少なくとも２つの収納部を形成する。
【発明の効果】
【０００９】
本発明の一態様の薬剤収納容器によれば、内蓋下側に形成される第１の収納部のほかに、背面板に連設されて上端側の開口を閉塞する蓋板と当該薬剤収納容器の内側に折り込まれる内蓋とで形成される第２の収納部が形成され、しかも背面板の上縁に連設された蓋板を開いた状態では、開口された間口部分は大きく開放されて、ユーザーが当該薬剤収納容器の内蓋上側に形成されている第２の収納部に対して薬剤をセットし易く使用開始時の使い勝手を向上させることができる。かつ、背面板の上縁に連設された蓋板の先端部分に例えばフック状の係合部を設けて、その係合部を正面板に設けた切り込みに引っ掛ける構成とすれば、蓋の浮き上がり等がなく空隙を生じにくく且つ蓋が閉めやすい構造とすることは容易である。
【００１０】
また、正面板の上縁から折り曲げ線を介して薬剤収納容器の内側に折り込まれ、背面板の内面と接するように形成した内蓋を薬剤収納容器の内側上部に設けることにより、内蓋で仕切られた上側にも少なくとも１つの収納部を形成することができると共に、内蓋が正面板から背面板に対して突っ張り棒のように働くので、蓋板の開閉や、薬剤の投入に対しても、耐圧力に優れた潰れにくい構造を実現することができる。
【図面の簡単な説明】
【００１１】
【図１】本発明の第１の実施形態の薬剤収納容器の展開図。
【図２】本発明の第１の実施形態の薬剤収納容器の変形例を示す展開図。
【図３】本発明の第１の実施形態の薬剤収納容器の組立図。
【図４】本発明の第２の実施形態の薬剤収納容器の展開図。
【図５】本発明の第２の実施形態の薬剤収納容器の変形例を示す展開図。
【図６】本発明の実施形態に係る薬剤収納容器に収納される除湿剤を収容した袋体の平面図。
【図７】本発明の実施形態に係る薬剤収納容器に収納される芳香剤を収容した袋体の平面図。
【図８】図８及び図９は本発明の実施形態に係る薬剤収納容器を、梱包時(出荷前)に組み立て、かつ除湿剤の袋体及び芳香剤(未開封)の袋体を配設し、非通気性の販売用包装体で包装する工程を説明する図であり、図８は除湿剤及び芳香剤を配設した状態を説明する図。
【図９】図８の状態から蓋板を背面側に折り非通気性の販売用包装体で外装する状態を説明する図。
【図１０】本発明の実施形態に係る薬剤収納容器に、薬剤をセットし、使用する時の状態を説明する図。
【図１１】本発明の第３の実施形態の薬剤収納容器の展開図。
【図１２】本発明の第４の実施形態の薬剤収納容器の組立図。
【発明を実施するための形態】
【００１２】
以下、本発明の実施の形態について図面を参照して詳細に説明する。  
以下の本発明の実施形態において、薬剤収納容器は、板紙、ダンボール紙、プラスチック薄板、その他の薄板材をプレス機等で型抜きする等により製造される。
【００１３】
［第１の実施形態］
図１は本発明の第１の実施形態の薬剤収納容器の展開図を示している。  
図１の第１の実施形態において、薬剤収納容器１００は、折目線(点線にて示す)を介して連設された正面板１０１、背面板１０２、左右側板１０３，１０４の４つの側壁と、一側の端部に折目線を介して連設された接着片１０９とを備えており、この接着片１０９と他側の側壁１０３，１０４とを接着することで両端が開口した四角筒状の胴部１０５が組み立てられる。
【００１４】
背面板１０２は上下方向に長い矩形状であり、一方、正面板１０１は図示のように背面板１０２より上下方向に短くなっており、その結果、組立て時に背面板１０２が正面板１０１より上方に突き出るサイズになっている。すなわち、組立て時には正面板１０１の上方に切り欠きを設けたような形状となるため、薬剤収納容器１００内部への薬剤(図示略)の出し入れが容易となる。
【００１５】
背面板１０２の上端縁には折目線を介して蓋板１０６が連設されており、この蓋板１０６の先端に差込み片１０６ａを形成し、正面板１０１の上部に組立て時において差込み片１０６ａを差し込んで係止することができる差込み孔１０１ａを形成して、差込み片１０６ａを差込み孔１０１ａに差し込んで係止することによって、蓋板１０６が湾曲状態で四角筒状の胴部１０５の上端開口を閉塞可能である。差込み片１０６ａは、左右両側にロック用突起を持つ両側ロックの差込み片である。このように、ラウンド型の蓋板１０６で開口を閉塞するので、蓋の浮き上がり等がなく、空隙を生じにくい。
【００１６】
なお、図示しないが、組立て時に蓋板１０６を湾曲しやすくするため、蓋板１０６の先端側の差込み片１０６ａまでの蓋板全面に渡って横罫線を複数設けてもよい。
【００１７】
また、正面板、背面板、左右側板の４つの側壁の下端縁にはそれぞれ折目線を介して底板形成片１０７ａ，１０７ｂが連設されており、これらの底板形成片１０７ａ，１０７ｂを順次折り曲げて接着片１０９で糊付けすることで底板１０７を形成する。
【００１８】
正面板１０１の上端縁には折目線を介して内蓋１１０が連設されており、この内蓋１１０は薬剤収納容器１００の内側に折り込まれ、少なくとも一部分が背面板１０２の内面と接するように形成されている。この内蓋１１０により、薬剤収納容器１００内部の空間を複数の収納部に仕切ることが可能である。なお、図１では内蓋１１０により２つの収納部に仕切っているが、例えば内蓋１１０に複数の折り目線を形成して、さらに多くの収納部に仕切ることも可能である。
【００１９】
内蓋１１０は、対向する背面板１０２の内面と接しているので、突っ張り棒のような働きをして、蓋板１１０がラウンド型の湾曲形状でありながら、耐圧力に優れており、潰れにくい。
【００２０】
さらに、図１に示すように、背面板１０２に係合部１０２ａを設け、内蓋１０６に係合部１０２ａを挿入可能な切り込み１１０ａを設けて両者を係合するように構成すれば、より耐圧強度を向上させることができる。係合部１０２ａは、左右両側にロック用突起を持つ両側ロックの切抜き片である。
【００２１】
また、図１に示すように正面板１０１の上端縁に凸状部１１２を設けた場合には、薬剤収納容器１００(又は１００Ａ)を組み立てた状態(図３参照)で、内蓋１０６上の収納スペースに薬剤を配置収納したときに、収納した薬剤が傾斜した内蓋１０６上で動くのを防止できる効果がある。
【００２２】
なお、背面板１０２には、収納した薬剤(例えば除湿剤)の残量確認用に確認窓１１１を設けてある。確認窓１１１から見える薬剤がゼリー状になったり、或いは色が変わった場合には、取り替え時期であると考えて新しい薬剤に交換する。
【００２３】
内蓋１１０により仕切られた複数の収納部には、全ての収納部に同一の薬剤を収納してもよいし、収納部ごとに異なる薬剤を収納してもよい。  
同一の薬剤を収納した場合、例えば、上側の収納部に開封済みの薬剤をセットし、下側の収納部には、未開封の詰め替え用の薬剤を収納するようにしてもよい。
【００２４】
また、除湿剤、芳香剤、消臭剤、脱臭剤、防虫剤、殺虫剤、抗菌剤、防カビ剤、忌避剤、除菌剤等の複数種の薬剤の中から、例えば、衣類収納空間に使用する場合には、防虫剤と除湿剤を組み合わせたり、下駄箱に使用する場合には、除湿剤と芳香剤を組み合わせたり、使用場所や用途に応じて適宜薬剤を組み合わせて使用することが可能である。特定の用途、例えば下駄箱用であれば、内蓋の下側の収納部には除湿剤または防臭剤を、内蓋の上側の収納部には芳香剤のほか防臭剤や防虫剤のような使用開始まで薬効を閉じ込めておきたいものを配置する方法も考えられる。また、この薬剤収納容器の使い方として、内蓋の上側の収納部に使用する薬剤を収納し、内蓋の下側の収納部に薬剤のストックを収納しておくようにしてもよい。
【００２５】
図２は本発明の第１の実施形態の薬剤収納容器の変形例を示す展開図である。  
図２の変形例における薬剤収納容器１００Ａにおいて、図１の薬剤収納容器１００と異なる点は、図１の内蓋１１０における切り込み１１０ａに代えて、図２の内蓋１１０では差し込み用の係合部１１０ｂを用い、図１の背面板１０２における差し込み用の係合部１０２ａに代えて、図２の背面板１０２では切り込み１０２ｂを用いる構成としたものである。
【００２６】
図２の変形例では、図１の場合と図２の場合とで切り込みと差し込み用の係合部との配置を、内蓋と背面板との間で交換したものとなっている。それ以外の構成は、図１と同様である。図２のように構成した場合にも、図１の場合と同様に内蓋を背面板の内面に沿って滑らせて両者を係合させる作用効果が得られる。
【００２７】
図３は本発明の第１の実施形態の薬剤収納容器１００(又は１００Ａ)の組立図を示している。  
図３において、薬剤収納容器１００は、組み立てた時に、正面板１０１、背面板１０２、左右側板１０３，１０４を備えた両端が開口した筒状の胴部１０５と、該胴部１０５の上下の開口端縁それぞれに連設された蓋板１０６及び底板１０７より構成され、胴部１０５、蓋板１０６及び底板１０７の少なくともいずれか１つに通気部１０８を有し、薬剤収納容器の内側に内蓋１１０で仕切られた少なくとも２つの収納部を形成し、各々の収納部に周囲空間に対して薬効を有する薬剤(図示略)を収納する。
【００２８】
このような構成においては、正面板１０１は背面板１０２より短く形成され、背面板１０２の上縁に蓋板１１０が連設され、該蓋板１０６の差し込み片１０６ａを正面板１０１の差し込み孔１０１ａに脱着することよって上端側の開口が閉塞及び開放可能とされ、正面板１０１の上縁に連設して形成された内蓋１１０は正面板１０１の上縁から折り曲げ線を介して背面板１０２の内面と接するように薬剤収納容器１００の内側に折り込まれ、上端側の開口を閉塞する蓋板１０６と薬剤収納容器１００の内側に折り込まれる内蓋１１０との間のスペース(内蓋上側空間)と胴部１０５の内部スペース(内蓋下側空間)とで、薬剤収納容器１００の内側に内蓋１１０で仕切られた少なくとも２つの収納部としてのスペース(空間)を形成する。
【００２９】
［第２の実施形態］
図４は本発明の第２の実施形態の薬剤収納容器の展開図を示している。  
図４に示す第２の実施形態の薬剤収納容器１００Ｂにおいて、図１の第１の実施形態と異なる点は、図１における蓋板１０６の差し込み片１０６ａが左右両側にロック用突起を持つ両側ロックであったものを、図４では蓋板１０６の差し込み片１０６ｂとして左右のどちらか一方側にのみロック用突起を持つ片側ロックの差し込み片を用いる。
【００３０】
これにより、組立状態(図３と同様になる)において、蓋板１０６の差し込み片１０６ｂを正面板１０１の差し込み孔１０１ａに差し込んでロックしだ後は、片側ロックの働きだけで、図１の場合に比べてアンロック(外し)易くなる結果、内蓋１１０と蓋板１０６の間の収納部(空間)に置かれた芳香剤等の薬剤の交換時等の作業を容易に行うことができる。つまり、ユーザーによる薬剤交換時に蓋板１０６を正面板１０１から外して蓋板１０６を開ける際に開け易くなり、芳香剤交換等の作業を効率的に行うことが可能となる。
【００３１】
加えて、(1)前記凸状部１１２の外周を形成するための切り込み線部分の上端部側に爪等の差し込み用の細孔１０１ｂを設けることにより、薬剤収納容器の組立前の状態で凸状部１１２が厚紙等の薄板材の裏側に曲がって入り込んでも、爪等で手前に引き出して元の状態に戻すことができるようにしたことと、(2)正面板１０１と内蓋１１０との境目の折り曲げ線(凸状部１１２の左右両側の点線部分)の左右両側の点線部分の中央部分に実線にて示す切り込み１０１ｃを設けて、容器組立時に正面板１０１に対する内蓋１１０の折り曲げを容易にするようにしたこと、の二点の改良をしている。
【００３２】
図５は本発明の第２の実施形態の薬剤収納容器の変形例を示す展開図である。  
図５の変形例における薬剤収納容器１００Ｃにおいて、図４の薬剤収納容器１００Ｂと異なる点は、図４の背面板１０２における両側ロックの係合部１０２ａを、図５では片側ロックの係合部１０２ｃに置き換えた構成としたものである。それ以外の構成は、図４と同様である。
【００３３】
このように背面板１０２における係合部１０２ｃを片側ロックのものとしたことにより、組立状態(図３と同様になる)において、内蓋１１０が正面板１０１の上縁から折り曲げ線を介して背面板１０２の内面と接するように内蓋１１０の切り込み１１０ａに対して背面板１０２の係合部１０２ｃを差し込んでロックしだ後は、係合部１０２ｃの片側ロックの働きだけで、図１(又は図２)の場合に比べてアンロック(外し)易くなる結果、内蓋１１０で仕切られた胴部１０５の内部空間に置かれた除湿剤等の薬剤の交換等の作業を容易に行うことができる。つまり、ユーザーによる薬剤交換時に内蓋１１０を背面板１０２から外して内蓋１１０を開ける際に開け易くなり、除湿剤交換等の作業を効率的に行うことが可能となる。
【００３４】
図６は本発明の実施形態に係る薬剤収納容器に収納される除湿剤を収容した袋体の平面図を示している。  
図６は、内部に塩化カルシウムからなる除湿剤を収納した袋体２０１であり、袋体２０１の少なくとも一部が透湿膜２０１ａで形成されている。斜線部分２０１ｂは、袋体を形成する非透湿の材料と透湿性の透湿膜材料との異なった材質間での接着部分、及び、袋体２０１の一端部を封止する封止部分を示している。
【００３５】
図７は本発明の実施形態に係る薬剤収納容器に収納される芳香剤を収容した袋体(非通気性フィルム除去済み)の平面図を示している。図７は非通気性のイージーピール材を通気面から除去(開封)した使用状態での袋体を示している。
【００３６】
図７は、内部に芳香剤を収納した袋体２０２であり、袋体２０２の少なくとも一部が通気性膜２０２ａで形成されており、使用前はこの通気性膜２０２ａが非通気性のイージーピール材(図示略)で覆われている。斜線部分２０２ｂは袋体を封止するための封止部を示している。符号２０２ｃは非通気性のイージーピール材(図示略)を通気面から除去する際の開け口に相当する部分である。
【００３７】
図８及び図９は本発明の実施形態に係る薬剤収納容器を、梱包時(出荷前)に組み立て、かつ除湿剤の袋体及び芳香剤の袋体を配設し、薬剤収納容器全体を非通気性の販売用包装体で包装する工程を説明する図である。
【００３８】
図８は通気面に非通気性のイージーピール材を付着したままの芳香剤の袋体２０２’(出荷前では、非通気性のイージーピール材が芳香剤の通気面に貼着してある)と、除湿剤の袋体２０１とを配設した状態を示し、図９は図８の状態から蓋板１０６を背面側に折って、薬剤収納容器全体を非通気性の販売用包装体３００で包装する状態を示している。
【００３９】
図８に示すように、薬剤収納容器１００Ｂ(又は１００Ｃ)に２種類の薬剤、例えば内蓋１１０の下側の収納部に除湿剤の袋体２０１を収納し、内蓋１１０の上側の収納部に芳香剤の袋体２０２’(但し通気面部分を未開封)を配設する。その後、図９に示すように、蓋板１０６を背面側に折った状態で非通気性の販売用包装体３００で包装する。薬剤収納容器全体を非通気性の販売用包装体３００で包装した状態で、工場から出荷されて、販売される。
【００４０】
次に、特定用途の薬剤を収容した袋体が予め収納された薬剤収納容器を、ユーザーが使用する際の使用方法について、図１０を参照して説明する。
【００４１】
ユーザーが使用開始する時には、外袋としての非通気性の包装体３００を開封すると、図８に示したように、薬剤収納容器１００の内蓋下側の胴部１０５内にセットされている除湿剤入りの袋体２０１はその透湿膜を通して除湿可能な状態とされるが、芳香剤の入った袋体２０２’は芳香機能を発揮させるために非通気性のイージーピール材２０２ｄを剥がす必要がある。
【００４２】
そこで、図１０(Ａ)のように芳香剤の入った袋体２０２’を薬剤収納容器１００の上部から一度取り出し、通気性膜２０２ａを覆うイージーピール材２０２ｄを剥がして除去した後、図１０(Ｂ)のように芳香可能な袋体２０２を再び内蓋１１０上側の収納部にセットし、その後に図１０(Ｃ)のように蓋板１０６を背面側から前面側へ反転させて薬剤収納容器１００を閉蓋して使用開始する。このとき、例えば図１０(Ｄ)のように薬剤収納容器１００を下駄箱４００の隅などに設置して、下駄箱４００内にこもった臭いをやさしい香りでさわやかにする。
【００４３】
上記の実施形態では、内蓋下側に形成される第１の収納部のほかに、背面板に連設されて上端側の開口を閉塞する蓋板と当該薬剤収納容器の内側に折り込まれる内蓋とで形成される第２の収納部が形成され、しかも背面板の上縁に連設された蓋板を開いた状態では、開口された間口部分は大きく開放されて、ユーザーが当該薬剤収納容器の内蓋上側に形成されている第２の収納部に対して薬剤をセットし易く使用開始時の使い勝手を向上させることができる。かつ、背面板の上縁に連設された蓋板の先端部分に例えばフック状の係合部を設けて、その係合部を正面板に設けた切り込みに引っ掛ける構成とすれば、蓋の浮き上がり等がなく空隙を生じにくく且つ蓋が閉めやすい構造とすることは容易である。
【００４４】
また、正面板の上縁から折り曲げ線を介して薬剤収納容器の内側に折り込まれ、背面板の内面と接するように形成した内蓋を薬剤収納容器の内側上部に設けることにより、内蓋で仕切られた上側にも少なくとも１つの収納部を形成することができると共に、内蓋が正面板から背面板に対して突っ張り棒のように働くので、蓋板の開閉や、薬剤の投入に対しても、耐圧力に優れた潰れにくい構造を実現することができる。
【００４５】
さらに、ラウンド型の蓋を採用することにより、特許文献１に記載の薬剤容器のような通常の蓋板であれば折れ線が複数できるが、折れ線は１つで済むため、使用者が蓋板を折らずに使用開始できるので、閉蓋しやすく使用開始時の使い勝手が向上する。  
使用開始後、内部に収納された薬剤は、通気部１０８を通じて周囲空間に対して薬効を付与する。
【００４６】
なお、蓋板１０６を上にして立てて使用するほか、使用場所のスペースに応じて、横に寝かせて設置することも可能である。  
例えば、図１０の使用方法に示したように、下駄箱等の高さの低い収納スペースに対しては、寝かせた状態で芳香剤の収納された上側の収納部を手前に来るように設置すれば、スペースを有効に活用でき、かつ芳香剤による薬効を感じやすい。
【００４７】
なお、図１乃至図１０では、蓋板１０６及び正面板１０１に通気部１０８を設けているが、これに限定されず、胴部１０５、蓋板１０６及び底板１０７の少なくともいずれか１箇所に１以上の通気部１０８を設ければよい。
【００４８】
［第３の実施形態］
図１１は本発明の第３の実施形態の薬剤収納容器の展開図を示している。  
図１及び図２、又は、図４及び図５では、背面板１０２の下側に残量確認用の確認窓１１１を設けているが、これに限定されない。胴部１０５の一部、例えば、図１１に示すように正面板１０１の下側に確認窓１１１を設けた構成としてもよい。
【００４９】
以上の実施形態の説明では、蓋板１０６としてラウンド型の蓋を採用し、左右側板１０３，１０４の上端部分を円弧状に形成した場合について説明したが、本発明はこれに限定されない。
【００５０】
［第４の実施形態］
図１２は本発明の第４の実施形態の薬剤収納容器の組立図を示している。  
図１２に示す薬剤収納容器１００Ｅでは、蓋板１０６として追加の折り曲げ線１０６ｅで直角に折り曲げて閉蓋可能とし、左右側板１０３，１０４の上端部分の角を直角に形成した場合した場合にも適用することができる。
【００５１】
図１２の場合、図１乃至図１１の場合のように内蓋１１０を背面板１０２の内面に対して傾斜させずに、背面板１０２の内面に対してほぼ直角に交わるようにして、内蓋１１０を底板１０７とほぼ平行な角度となるように構成してもよい。さらに、左右側板１０３，１０４の形状は図１乃至図１１で示したままとし、蓋板１０６のみを追加の折り曲げ線１０６ｅで直角に折り曲げて閉蓋するように構成してもよい。
【００５２】
[実施例]
以下、具体的な実施例により、この発明をより詳細に説明するが、この発明はこれらの実施例に限定されるものではない。
【００５３】
実施例１として、コートボール350g/m2を材料とし、組み立て後の寸法がW150×D30×H105mmとなるように図１に示す形状にプレス機を用いて型抜きし、薬剤収納容器を組み立てた。
【００５４】
この薬剤収納容器の内蓋下側の収納部に、片面がONY15μｍ//LLDPE50μｍフィルム、他面が透湿膜からなる袋体に塩化カルシウム及びゲル化剤を封入した除湿剤を収納した。
【００５５】
また、片面がPET12μｍ//CPP25μｍからなるフィルム、他面が通気性膜とこの通気性膜を剥離可能に覆う印/PET12μｍ//VM-PET12μｍ//HS-OPP30μｍイージーピール材からなる袋体に香料を含浸させた珪酸カルシウムを封入した芳香剤を、イージーピール材を剥離した後、薬剤収納容器の内蓋上側の収納部に収納した。
【００５６】
以上述べた実施形態によれば、簡単でかつ潰れにくい構造を有し、複数の収納部に仕切ることができ、かつ薬剤をセットしやすく使用開始時の使い勝手を向上させた薬剤収納容器を実現することができる。
【符号の説明】
【００５７】
１００，１００Ａ，１００Ｂ，１００Ｃ，１００Ｄ，１００Ｅ…薬剤収納容器、１０１…正面板、１０１ａ…差し込み孔、１０２…背面板、１０２ａ…係合部、１０３…左側板、１０４…右側板、１０５…胴部、１０６…蓋板、１０６ａ…差し込み片、１０７…底板、１０７ａ，１０７ｂ…底板形成片、１０８…通気部、１０９…接着片、１１０…内蓋、１１０ａ…切り込み、１１１…残量の確認窓、１１２…凸状部、２０１…除湿剤を含む袋体、２０２，２０２’…芳香剤を含む袋体、３００…販売用包装体。
【図１】
2014133586.tif 000003
【図２】
2014133586.tif 000004
【図３】
2014133586.tif 000005
【図４】
2014133586.tif 000006
【図５】
2014133586.tif 000007
【図６】
2014133586.tif 000008
【図７】
2014133586.tif 000009
【図８】
2014133586.tif 000010
【図９】
2014133586.tif 000011
【図１０】
2014133586.tif 000012
【図１１】
2014133586.tif 000013
【図１２】
2014133586.tif 000014